(57)【特許請求の範囲】
【請求項１】
血液中の少なくとも血清成分を血球成分から分離して採取するための血液ろ過器であって、繊維体からなり、流入する血液中の血清成分を血球成分よりも高い速度で透過させる性質をもつ第１のフィルタと、血清成分は透過させて血球成分は透過させない性質をもつ膜状の第２のフィルタと、これら第１のフィルタ及び第２のフィルタを直列状態で保持し、かつ、前記第１のフィルタに血液を導入するための血液導入部及び第２のフィルタを透過した血清成分を排出する排出部を有する保持器とを備え、この保持器は、前記第１のフィルタが充填される保持器本体と、前記第２のフィルタをその上流側と下流側とから挟んだ状態で保持し、かつ、そのフィルタの上流側部分及び下流側部分で血液を流通させる流通部を有するフィルタ保持部材とを有し、このフィルタ保持部材は、前記第１のフィルタと密着する状態で前記保持器本体内に固定されていることを特徴とする血液ろ過器。
【請求項２】
請求項１記載の血液ろ過器において、前記第２のフィルタは血漿成分を透過させる性質をもつことを特徴とする血液ろ過器。
【請求項３】
請求項１または２記載の血液ろ過器において、前記保持器本体とこの保持器内に固定されるフィルタ保持部材とで囲まれた空間内に前記第１のフィルタが圧縮状態で充填されていることを特徴とする血液ろ過器。
【請求項４】
請求項１〜３のいずれかに記載の血液ろ過器において、前記第２のフィルタは平坦な状態で前記フィルタ保持部材内に保持されていることを特徴とする血液ろ過器。
【請求項５】
請求項４記載の血液ろ過器において、前記フィルタ保持部材は、前記第２のフィルタの周縁部のみを挟持するものであり、当該周縁部を除く第２のフィルタの表裏面とフィルタ保持部材との間に隙間が確保されていることを特徴とする血液ろ過器。
【請求項６】
請求項１〜５のいずれかに記載の血液ろ過器と、その保持器の排出部に気密状態でかつ着脱可能に接続される血液回収部とを備え、前記保持器の血液導入部は、当該保持器に形成された開口に採血用針が挿通可能な栓が当該開口を気密状態で塞ぐように装着されることにより構成され、前記血液回収部及び前記保持器の内部に負圧が形成可能となるように構成されていることを特徴とする採血器。
【請求項７】
請求項６記載の採血器において、前記保持器に血液回収部が接続された状態でこれら保持器及び血液回収部の内部に負圧が形成されていることを特徴とする採血器。
【請求項８】
請求項６または７記載の採血器において、前記血液回収部は、一方向に開口する回収容器と、この回収容器の開口に当該開口を塞ぐように装着されるゴム栓とを備え、前記血液ろ過器の排出部は、前記血液回収部のゴム栓を貫通して当該回収容器内に侵入する針状管部を有することを特徴とする採血器。
【請求項９】
請求項８記載の採血器において、前記針状管部が前記フィルタ保持部材に一体に形成されていることを特徴とする採血器。
【発明の詳細な説明】
【０００１】
【発明の属する技術分野】
本発明は、血液中の血清成分を採取するための血液ろ過器及びそのろ過器を用いた採血器に関するものである。
【０００２】
【従来の技術】
従来、血液をろ過してその血清成分を採取するための手段として、種々のものが開発されている。例えば１）特許第３０１５８５４号掲載公報には、血球成分を捕捉して血漿成分のみを透過させる膜状のフィルタを用いた採血器が開示され、また、２）特開平１１−１８０８７６号公報には、極細繊維からなるフィルタに血液を通し、このフィルタにおける血球成分の移動速度と血清成分の移動速度との差を利用して血液中から血清成分を分離するようにした方法が開示されている。
【０００３】
【発明が解決しようとする課題】
前記特許第３０１５８５４号掲載公報に示されるフィルタは、血球成分を捕捉してその流通を遮断してしまうものであるため、ろ過面積が小さいと比較的短時間で血球成分の目詰まりを起こしてしまう。換言すれば、十分な量のろ過を行うためには、ろ過器自体を大型化するか、あるいは、前記公報に示されるようにフィルタをＶ字状や円筒状に配置するなどしてろ過面積を稼ぐ工夫が必要になり、ろ過器の小型化及び構造の簡素化は難しくなる。
【０００４】
一方、前記特開平１１−１８０８７６号公報に示されるフィルタは、繊維体で構成され、血球成分を完全に遮断するのではなく血清成分に遅れて血球成分を透過させるものであるため、前記のような目詰まりによる不都合は生じにくいが、血液を導入してから比較的長い時間放置すると血清成分に加えて血球成分が流出してしまうため、血清成分の回収タイミングが難しく、また高い分離精度が得られにくいという欠点がある。
【０００５】
なお、前記特許第３０１５８５４号掲載公報には、上流側から下流側に向かうに従って孔径が小さくなるように複数種の多孔質体を積層したものを用いることにより、血球の目づまりを防ぐようにする技術が開示されているが、このように複数種の多孔質体を積層させる構成は複雑でコスト高となり易い。また、各多孔質体の孔径の設定も難しい。
【０００６】
そこで本発明者等は、繊維体からなり、流入する血液中の血清成分を血球成分よりも高い速度で透過させる性質をもつ第１のフィルタと、血清成分のみを透過させて血球成分は透過させない多孔質膜からなる第２のフィルタとを直列に並べ、前記第１のフィルタ、第２のフィルタの順に血液を流して第２のフィルタを透過した血清成分を回収することに想到したが、前記多孔質膜からなる第２のフィルタは外力に弱く、強い圧縮力が作用すると壊れてろ過機能を失うおそれがある。
【０００７】
【課題を解決するための手段】
本発明は、前記課題を解決するためになされたものであり、血液中の少なくとも血清成分を血球成分から分離して採取するための血液ろ過器であって、繊維体からなり、流入する血液中の血清成分を血球成分よりも高い速度で透過させる性質をもつ第１のフィルタと、血清成分は透過させて血球成分は透過させない性質をもつ膜状の第２のフィルタと、これら第１のフィルタ及び第２のフィルタを直列状態で保持し、かつ、前記第１のフィルタに血液を導入するための血液導入部及び第２のフィルタを透過した血清成分を排出する排出部を有する保持器とを備え、この保持器は、前記第１のフィルタが充填される保持器本体と、前記第２のフィルタをその上流側と下流側とから挟んだ状態で保持し、かつ、そのフィルタの上流側部分及び下流側部分で血液を流通させる流通部を有するフィルタ保持部材とを有し、このフィルタ保持部材は、前記第１のフィルタと密着する状態で前記保持器本体内に固定されているものである。
【０００８】
この構成において、まず血液が導入される第１のフィルタでは、血清成分の透過速度と血球成分の透過速度との間に差があるため、採血初期の段階ではまず血清成分が第１のフィルタから流出し、そのまま第２のフィルタも透過する。従って、この第２のフィルタから血球成分の混じらない血清成分を回収することができる。
【０００９】
その後、第１のフィルタからは遅れて血球成分が流出し始めるが、この血球成分は第２のフィルタに捕捉されて同フィルタを通過できないため、この血球成分が血液回収部内の血清成分に混入することが防がれ、分離精度は高く保持される。さらに時間が経過すると、第２のフィルタに前記血球成分による目詰まりが発生するが、その頃には既に血清成分が十分回収されているため、前記目詰まりが生じても何等支障はない。
【００１０】
さらに、前記保持器は、第２のフィルタをその上流側と下流側とから挟んだ状態で保持し、かつ、そのフィルタの上流側部分及び下流側部分で血液を流通させる流通部を有するフィルタ保持部材を含んでいるので、強度的に不利な膜状の第２のフィルタを有効に保護しながらその良好なろ過機能を確保することができる。
【００１１】
なお、前記第２のフィルタは、少なくとも血清成分を透過させ、血球成分を透過させない性質を有するものであればよく、それ以外の成分については透過、不透過を問わない。例えば、血清成分だけでなく血漿成分を透過させるものであってもよい。
【００１２】
前記第１のフィルタとフィルタ保持部材とは密着していても第２のフィルタはフィルタ保持部材によって有効に保護される。例えば、保持器本体とこの保持器内に固定されるフィルタ保持部材とで囲まれた空間内に前記第１のフィルタが圧縮状態で充填されている構成とすることも可能であり、この構成により、前記フィルタ保持部材によって第２のフィルタを有効に保護しながら、両フィルタをコンパクトな状態で保持器内に収めることができる。
【００１３】
本発明では、前記のように、第２のフィルタに目詰まりが生じるまでの間に十分な血清成分の回収ができるようにしているので、第２のフィルタのろ過面積を大きくする必要がなく、例えばこれを平坦な状態でフィルタ保持部材内に保持するようにしてもよく、これによってろ過器全体の小型化や構造の簡素化を図ることが可能である。
【００１４】
この場合、前記フィルタ保持部材が、前記第２のフィルタの周縁部のみを挟持し、当該周縁部を除く第２のフィルタの表裏面とフィルタ保持部材との間に隙間が確保されているものとすることが可能であり、このような構成により、第２のフィルタの強度的負担を大幅に軽減してその寿命を長く維持することができる。
【００１５】
また本発明は、前記血液ろ過器と、その保持器の排出部に気密状態でかつ着脱可能に接続される血液回収部とを備え、前記保持器の血液導入部は、当該保持器に形成された開口に採血用針が挿通可能な栓が当該開口を気密状態で塞ぐように装着されることにより構成され、前記血液回収部及び前記保持器の内部に負圧が形成可能となるように構成されているものである。
【００１６】
この採血器によれば、例えば次の要領で血液の採取及び分離を効率良く行うことができる。
【００１７】
▲１▼  保持器の栓に吸引管を突き刺す等して、保持器及び血液回収部内を減圧する。なお、この減圧は採血器流通前の段階で行うようにしてもよい。すなわち、メーカー側で管内を減圧しておいてから当該採血器の提供を行うようにしてもよい。すなわち、本発明は、前記保持器に血液回収部が接続された状態でこれら保持器及び血液回収部の内部に負圧が形成されている採血器として提供が可能である。
【００１８】
▲２▼  血管に採血用針の一端を突き刺した状態で、当該針の他端を栓に挿通させる。この時、保持器内の負圧により、血液は自動的に上流管内に流れ込む。さらに、前記栓を開いて保持器内に大気圧を導入すると、その分だけ両フィルタの上流側と下流側とで差圧が生じ、その差圧によって血液は第１のフィルタ及び第２のフィルタでろ過され、この第２のフィルタを透過した血清成分が保持器の排出部から血液回収部内に流入し、貯留される。
【００１９】
▲３▼  分離完了後、保持器から血液回収部を切り離す。この血液回収部は、例えば、そのまま試験管として検査に利用することが可能である。
【００２０】
ここで、前記保持器に対して血液回収部を着脱可能とする構造としては、例えば保持器及び血液回収部に互いに螺合するねじ部を形成するようにしてもよいが、一方向に開口する回収容器と、この回収容器の開口に当該開口を塞ぐように装着されるゴム栓とを備え、前記血液ろ過器の排出部は、前記血液回収部のゴム栓を貫通して当該回収容器内に侵入する針状管部を有する構成とすれば、この針状管部を前記ゴム栓に突き刺して貫通させるだけで、密閉状態を保ったまま回収容器内と保持器内とを連通することができる。
【００２１】
さらに、前記針状管部を前記フィルタ保持部材に一体に形成することにより、部品点数を減らして構造をより簡素化することができる。
【００２２】
【発明の実施の形態】
本発明の第１の実施の形態を図１及び図２に基づいて説明する。
【００２３】
図示の採血器は、血液ろ過器Ｆ及び血液回収部Ｃによって構成されている。
【００２４】
血液回収部Ｃは、回収管（回収容器）１０及びゴム栓１２を備えている。回収管１０は、一方向にのみ開口する試験管形状を有している。ゴム栓１２は、前記回収管１０の開口よりも僅かに大径の小径部１４と、この小径部１４よりも大径であって、後述の本体管２０における大径部２４の内径よりも僅かに大径の大径部１６とを一体に有し、前記小径部１４が前記回収管１０の開口に圧入されることにより当該開口を気密状態で塞いでいる。また、図２に示すように、ゴム栓１２の軸心部分は、その上下端が切欠かれることにより他の部分よりも薄肉の薄肉部１８が形成されている。
【００２５】
血液ろ過器Ｆは、両端が開口する本体管２０を有している。本体管２０のろ過方向上流側（図１では上側）部分は小径部２２とされ、下流側は前記ゴム栓１２の大径部１６が圧入可能な大径部２４とされており、これら小径部２２と大径部２４とが内壁２６によって区画されている。内壁２６には図２及び図３に示すような貫通孔２７が設けられ、この貫通孔２７を通じて小径部２２から大径部２４への血液の流入が可能となっている。
【００２６】
本体管２０の上流側開口（小径部側開口）は、栓２８により塞がれている。この栓２８も、前記ゴム栓１２と同様にゴムで一体に形成され、その軸心部分は他の部分よりも薄肉の薄肉部２９とされており、前記開口に圧入されることにより当該開口を気密状態で塞いでいる。
【００２７】
前記大径部２４内には、内壁２６に近い側（すなわち上流側）から順に、第１のフィルタ３１及び第２のフィルタ３２が直列に並べられた状態で収納されている。
【００２８】
第１のフィルタ３１は、多数本の細径繊維の集合体であって、例えば不織布を圧縮状態で大径部２４内に装填することにより構成されている。その繊維径や圧縮度合（密度）は、後述のように血清成分に遅れて血球成分が透過するような性質が得られるように設定すればよく、例えば繊維径1.8μｍの不織布をその密度0.35ｇ／cm2となるまで圧縮したものを用いることにより、前記性質が得られることが実験で確かめられている。その他、前記特開平１１−１８０８７６号公報に示されるフィルタをそのまま用いることも可能である。
【００２９】
第２のフィルタ３２は、血液中の血清成分は透過させ、血球成分は透過させない性質を有するものであればよい。具体例としては、一般的なろ過膜（メンブレンフィルタ）を用い、その分子ふるいの機能を利用して血球を捕捉するようにしてもよいし、孔径の大きい通常のろ紙に抗血球抗体を含有させ、当該抗体と血球との特異結合を利用して血球成分を捕捉できるようにしたものであってもよい。その他、血球成分の通過を阻止し得る多孔質体等の適用が可能である。
【００３０】
この第２のフィルタ３２は、図例では平坦な膜状をなし、フィルタ保持部材３８によって両側から挟み込まれた状態で保持されている。そして、このフィルタ保持部材３８と一体に前記大径部２４内に組み込まれており、当該フィルタ保持部材３８と前記本体管２０とで、血液ろ過器Ｆの保持器が構成されている。すなわち、本体管２０は保持器の本体を構成している。
【００３１】
フィルタ保持部材３８は、本体部３４と、フィルタカバー３６とからなっている。
【００３２】
本体部３４は、前記第１のフィルタ３１側（上流側）に開口する凹部をもつ受け皿状をなし、その底部に前記第２のフィルタ３２が敷設されている。詳しくは、本体部３４の中央部に周縁部よりも僅かに低い凹部４３が形成され、この凹部４３の深さ分だけ本体部３４の底面と第２のフィルタ３２の中央部下面との間に微小隙間が確保されている。
【００３３】
フィルタカバー３６は、前記本体部３４に敷設された第２のフィルタ３２を上流側から覆うようにして当該本体部３４の凹部に装着されるものであり、このフィルタカバー３６にはこれを肉厚方向に貫通する複数の貫通孔４４（図２及び図４）が形成されている。このフィルタカバー３６の外周部及び本体部３４の凹部の内周部には互いに軸方向に当接する段部４６，４８がそれぞれ形成され、これら段部４６，４８同士の当接により、フィルタカバー３６と第２のフィルタ３２の中央部とが直接接触することが阻止されている。すなわち、フィルタカバー３６と第２のフィルタ３２の上面との間に隙間が確保されるようになっている。
【００３４】
なお、このフィルタ保持部材３８に第２のフィルタ３２を固定するための具体的な手段は問わない。例えば、図５（ａ）に示すように、本体部３４に第２のフィルタ３２を敷設してからその周縁部を閉じ込めるようなフィルタ押え部３５を本体部３４に二次成形するようにしてもよいし、同図（ｂ）に示すフィルタカバー３６の下面（第２のフィルタ３２と対向する側の面）に超音波溶接用の突条４９を形成しておき、当該溶接によってフィルタ３２の周縁部を固定するようにしてもよい。
【００３５】
いずれにしても、フィルタ保持部材３８によって第２のフィルタ３２の周縁部のみを挟持するようにし、それ以外のフィルタ部分（中央部分）と本体部３４及びフィルタカバー３６との間に隙間を確保するようにすれば、第２のフィルタ３２の強度的負担を軽減してその良好なろ過機能を確保することができる。
【００３６】
前記本体部３４からは下流側に針状管部４０が延設され、この針状管部４０は、その軸心部に貫通孔４２を有し、先端が鋭利な針状とされている。この針状管部４０の貫通孔４２により、前記第２のフィルタ３２の下流側面が外方に連通されている。
【００３７】
次に、この採血器の組立要領及び使用要領を説明する。
【００３８】
▲１▼フィルタ保持部材３８に第２のフィルタ３２を組み込む。その一方、回収管１０及び本体管２０にはそれぞれ栓１２，２８を嵌着しておく。
【００３９】
▲２▼図６に示すように本体管２０の大径部２４内にまず第１のフィルタ３１を構成する繊維体を入れ、その後から前記フィルタ保持部材３８を押し込んで前記繊維体を圧縮する。そして、大径部２４の内面に予め形成しておいた突起２３をフィルタ保持部材３８が乗り越える位置まで当該保持部材３８を押し込む。その押し込みが完了した状態で、フィルタ保持部材３８は前記突起２３に係止され、本体管２０内に固定される。
【００４０】
▲３▼回収管１０に装着したゴム栓１２の大径部１６を本体管２０の大径部２４内に圧入するとともに、そのゴム栓１２の薄肉部１８に外側からフィルタ保持部材３８の針状管部４０を突き刺し、当該薄肉部１８を貫通させる。これにより、ゴム栓１２は大径部２４の開口を気密状態で塞ぎ、針状管部４０はその貫通孔４２を通じて回収管１０の内部とフィルタ保持部材３８内とを連通する。
【００４１】
▲４▼本体管２０の栓２８に例えば吸引管を突き刺して回収管１０内に臨ませ、この本体管２０さらには回収管１０内のエアを吸引することにより、採血器全体の内部空間を負圧にする。その具体的な圧力値は、採血器の仕様に応じて適宜設定すればよい。この減圧は、採血器流通前の段階でメーカー側で行うようにしてもよいし、当該採血器の提供を受けた使用者が行うようにしてもよい。また、予め回収管１０内のみ負圧にしておき、これに前記針状管部４０を突き刺した時点で本体管２０側も負圧になるようにしてもよい。
【００４２】
▲５▼＜採血＞被検者の血管に図１の二点鎖線に示すような採血用針５０の先端（図では上端）を突き刺し、後端（同図下端）を栓２８の薄肉部２９に突き刺してこれを貫通させる。その際、採血用針５０を予め前記二点鎖線に示すようなキャップ５２に固定しておいて当該キャップ５２を本体管２０の小径部２２に被着することにより採血用針５０が栓２８の薄肉部２９を貫くようにしておけば、採血作業がより簡単になる。
【００４３】
このような採血用針５０の貫通により、被検者の血管内血液は、本体管２０内の負圧の作用で同管２０の小径部２２内に引き込まれる。さらに、栓２８を開いて（例えば栓２８を本体管２０から外して）本体管２０内に大気圧を導入すると、その分だけ小径部２２内の圧力が回収管１０内の圧力よりも高くなるため、当該差圧により前記血液は内壁２６の貫通孔２７から第１のフィルタ３２さらにはフィルタ保持部材３８内の第２のフィルタ３４を通じて回収管１０内に流れ込もうとする。
【００４４】
ここで、前記第１のフィルタ３２においては、血清成分の透過速度と血球成分の透過速度との間に差があるため、採血初期の段階ではまず血清成分のみが第１のフィルタ３１から流出する。この血清成分は、フィルタカバー３６の貫通孔４４を通過し、さらには第２のフィルタ３２も透過して針状管部４０の貫通孔４２から回収管１０内に流入、貯留される。
【００４５】
その後、第１のフィルタからは遅れて血球成分が流出し始めるが、この血球成分は第２のフィルタ３２に捕捉され、同フィルタ３２を通過できないため、同血球成分が血液回収部１０内の血清成分に混入することが防がれ、分離精度は高く保持される。さらに時間が経過すると、第２のフィルタ３２に前記血球成分による目詰まりが発生するが、その頃には回収管１０内に血清成分が十分に回収されているため、前記目詰まりが生じても何等支障はない。
【００４６】
なお、本発明では、前記血球成分及び血清成分以外の成分をフィルタで捕捉するか否かは特に問わない。例えば前記血球成分、血清成分のいずれにも属さないフィブリノーゲンは、この実施の形態では、第１のフィルタ３１を構成する繊維に付着するため、回収管１０内の血清成分にはほとんど混入しない。
【００４７】
▲６▼前記のようにして回収管１０内への血清成分の回収が完了した後は、本体管２０から血液回収部Ｃを抜き取り、さらに栓１２を取り外せばよい。この回収管１０内には血清成分が採取されているので、この回収管１０をそのまま試験管として検査に利用することができる。
【００４８】
本発明の第２の実施の形態を図７に示す。前記実施形態では、フィルタ保持部材３８に針状管部４０が一体に形成されていたが、ここでは、キャップ５６の付いた採血用の管状針５４が針状管部として流用されている。
【００４９】
詳しくは、本体管２０の大径部２４の下流側が小径管２５を除いて塞がれており、この大径部２４内に両フィルタ３１，３２が閉じ込められている。膜状をなす第２のフィルタ３２は（液透過性を有する）すのこ状のフィルタ保持部材３９によって両側から挟まれ、保護されている。そして、前記小径管２５に前記管状針５４のキャップ５６が被着されることにより、排出部が構成されている。また、大径部２４の下流側端部には、前記管状針５４を径方向外側から覆う保安用のフード２４ａが形成されている。このフード２４ａは適宜省略が可能である。
【００５０】
この採血器においても、前記フード２４ａ内に回収管１０のゴム栓１２を挿入しながら当該ゴム栓１２に前記管状針５４を突き刺すことにより、この管状針５４を通じて回収管１０内が本体管２０内に連通され、前記と同様に採血を行うことが可能になる。
【００５１】
また本発明では、このように針状管部とゴム栓との組み合わせで回収管１０と本体管２０とをつなぐほか、例えば本体管２０と回収管１０とに互いに螺合するネジ部を形成するようにしても、気密状態で回収管１０を本体管２０に接続することが可能である。
【００５２】
さらに、本発明では、前記図１に示した本体管２０と回収管１０とを一体にし、血清成分の回収後に第２のフィルタ３２よりも下流側の部分を切断して回収血清成分を取り出すようにしてもよい。この場合も、前記針状管部や栓１２は不要となり、第２のフィルタ３２の下流側面がそのまま本発明にかかる血液ろ過器の「排出部」に相当することになる。
【００５３】
第３の実施の形態を図８に示す。前記実施形態では、血液ろ過器Ｆを採血器に一体に組み込むようにしているが、この第３の実施の形態では、血液ろ過器Ｆを独立させ、注射器７０で採取された血液を改めて血液ろ過器Ｆでろ過するようにしている。
【００５４】
具体的に、前記血液ろ過器Ｆの保持管（保持器本体）６０は、第１のフィルタ３１を収納する第１のフィルタ収納部６１と、第２のフィルタ３２及びこれを挟み込むフィルタ保持部材３９を収納する第２のフィルタ収納部６２と、両収納部６１，６２をつなぐ連通管部６４と、第２のフィルタ収納部６２の下流側に設けられた排出管部６６と、第１のフィルタ収納部６１の上流側に設けられた血液導入管部６８とを有している。そして、前記排出管部６６に管状針５４のキャップ５６が被着されるとともに、注射器７０のシリンダ７２から注射針を取り外した状態で当該シリンダ７２の先端部を前記血液導入管部６８内に嵌入できるようになっている。
【００５５】
このような構成においても、前記注射器７０で採血した後、この注射器７０のシリンダ７２の先端部を保持器６０の血液導入管部６８に嵌入する一方、内部が負圧にされた血液回収部Ｃ（図７）の栓１２に針５４を突き刺して保持器６０内も負圧にすれば、その負圧によって前記注射器７０内の血液をフィルタ６１，６２によって前記第１の実施の形態と同様にろ過することができ、血液導入管部６８を通じて血液回収部Ｃ内に回収することができる。また、このように負圧を利用する他、注射器７０のピストン７４を操作することによって注射器７０内の血液を血液ろ過器Ｆ内に送り込むといったことも可能である。
【００５６】
【発明の効果】
以上のように本発明は、血清成分の透過速度と血球成分の透過速度とに差がある性質をもつ第１のフィルタと、血清成分は透過させて血球成分は透過させない性質をもつ第２のフィルタとを直列状態で保持器内に保持し、この第２のフィルタを透過した血清成分を回収するようにしたものであるので、特に第２のフィルタのろ過面積を大きくしなくても、簡単な構成で十分な量の血清成分を高精度で分離回収できる。しかも、膜状の第２のフィルタはフィルタ保持部材内に保持した状態で保持器本体内に組み込むようにしているので、前記第１のフィルタに前記フィルタ保持部材が密着していても前記第２のフィルタを有効に保護することができ、この第２のフィルタの圧壊等を防いでその良好なろ過機能を確保できる効果がある。
【図面の簡単な説明】
【図１】本発明の第１の実施の形態に係る採血器の断面正面図である。
【図２】前記採血器の要部を示す断面正面図である。
【図３】図２のＡ−Ａ線断面図である。
【図４】（ａ）は前記採血器に設けられるフィルタ保持部材のフィルタカバーの平面図、（ｂ）はその一部断面正面図である。
【図５】（ａ）は前記フィルタ保持部材の本体部に二次成形を施して第２のフィルタを固定する例を示す断面図、（ｂ）は超音波溶接用の突条が形成されたフィルタカバーの例を示す一部断面正面図である。
【図６】前記採血器の本体管にフィルタを装填する工程を示す一部断面正面図である。
【図７】本発明の第２の実施の形態にかかる採血器の断面正面図である。
【図８】本発明の第３の実施の形態に係る血液ろ過器の断面正面図である。
【符号の説明】
Ｆ  血液ろ過器
Ｃ  血液回収部
１０  回収管（回収容器）
１２  ゴム栓
２０  本体管（保持器を構成）
２８  栓
３１  第１のフィルタ
３２  第２のフィルタ
３８，３９  フィルタ保持部材
４０  針状管部
５４  管状針（針状管部）
６０  保持管（保持器本体）
【図１】
0003815976.tif 000002
【図２】
0003815976.tif 000003
【図３】
0003815976.tif 000004
【図４】
0003815976.tif 000005
【図５】
0003815976.tif 000006
【図６】
0003815976.tif 000007
【図７】
0003815976.tif 000008
【図８】
0003815976.tif 000009